(57)【要約】      （修正有）【課題】使用に際して必要な長さが容易に得られ、不使用時にはキャップ内に収まるように収縮して携帯しやすくするタッチペンを提供する。【解決手段】ストラップ付のキャップ２に長短数段において伸縮するタッチペン用の伸縮軸３を接続し、該伸縮軸３の先端にタブレット端末，スマートフォンを含むモバイル機器の画面タッチ用の導電性ゴム体４または押し体を取付け、不使用時に携帯しやすくするために伸縮軸３を縮小してストラップ付のキャップ２内に収まるようにしてタッチペンを構成する。【選択図】図１
0003177061.tif 000002
【実用新案登録請求の範囲】
【請求項１】
ストラップ付のキャップに長短数段において伸縮するタッチペン用の伸縮軸を接続し、該伸縮軸の先端にタブレット端末，スマートフォンを含むモバイル機器の画面タッチ用の導電性ゴム体または押し体を取付け、不使用時にタッチペン用の伸縮軸を縮小してストラップ付のキャップ内に収まるようにしたことを特徴とする伸縮するタッチペン。
【請求項２】
伸縮軸をストラップ付のキャップから着脱する着脱式にして、該伸縮軸のキャップ側にボールペンを設ける請求項１に記載の伸縮するタッチペン。
【請求項３】
ボールペンにかえて伸縮軸の先端に取付けた導電性ゴム体または押し体とは異なるいずれかを設けた請求項２に記載の伸縮するタッチペン。
【請求項４】
キャップとストラップを着脱形とするようにする請求項１乃至３のいずれかに記載の伸縮するタッチペン。
【請求項５】
ストラップをコイルばね状にして伸縮するように形成するほか、ネックイヤホンに置き替え可能とする請求項１乃至３のいずれかに記載の伸縮するタッチペン。
【請求項６】
ストラップの他側端部にモバイル機器のイヤホンジャックに着脱自在とするイヤホンプラグ型の掛脱具を設けた請求項１乃至３のいずれかに記載の伸縮するタッチペン。
【考案の詳細な説明】
【技術分野】
【０００１】
この考案は伸縮するタッチペンに関するものある。
【背景技術】
【０００２】
この種のものとしては登録実用新案第３０６３１７４号公報がある。該公報はストラップ付の筒状ケース内にスプリング入りの筆記具本体を収容し、つまみを回転してスプリングの圧縮止めを解くとスプリングの伸びにて筆記具本体が外筒から飛び出すようにしたことを記載している。
【特許文献１】登録実用新案第３０６３１７４号公報
【考案の開示】
【考案が解決しようとする課題】
【０００３】
しかしながら、スプリングの伸び圧による筆記具の飛び出しは１段にとどまり、その飛び出し長さもスプリングの伸び圧を大きくしても限られた長さ以内にとどまるという課題がある。また用途がひとつに限られているという課題がある。
【課題を解決するための手段】
【０００４】
本考案は、タブレット端末，スマートフォンを含むモバイル機器の画面をタッチ操作するためのタッチペンをストラップ付きのキャップ内に収納される長短数段において長さ調整自在とする伸縮軸の一側先端に静電式画面タッチ用の導電性ゴム体または感圧式画面タッチ用の押し体を取付けるようにし、さらに他側をキャップから離脱自在にするとともにその端部にボールペンあるいは前記の伸縮軸の先端に取付けた導電性ゴム体または押し体とは異なるいずれかを取付けるようにして、かかる課題を解決するようにしたのである。
【考案の効果】
【０００５】
本考案のタッチペンは、３段等の複数段にて伸縮するので、使用に際して必要な長さが容易に得られるという効果を生ずる。
【０００６】
また、ストラップをモバイル機器，バッグなどその他の携帯品または首廻りに掛け吊るしたまま使用することができるという効果を生ずる。
【０００７】
不使用時にはキャップ内に収まる形状に収縮することができて携帯しやすくするという効果を生ずる。
【０００８】
筆記具として、また,ネックストラップイヤホンに取付けることで音楽等の観賞用にも使用することができるという効果を生ずる。
【図面の簡単な説明】
【０００９】
【図１】第１実施例を示すもので、 本考案のタッチペンをキャップ内に収めた状態と、伸縮軸を各段毎に伸張した長さ調整例を示す斜視図
【図２】同、持ちやすい長さに調整した使用状態を示す斜視図
【図３】第２実施例で、（ａ）は伸縮軸を伸張してタッチペンとして使用する状態、（ｂ）はキャップを外して他端のボールペンを使用する状態を示す斜視図
【図４】第３実施例で、第２実施例のボールペンにかえて感圧式タッチ用の押し体を設けた使用状態の斜視図
【図５】第４実施例で、（ａ）はストラップとキャップを着装した状態、（ｂ）はストラップを離脱した状態を示す斜視図、
【図６】第５実施例で、ストラップの他側端部にイヤホンプラグ型の着脱自在な掛止具を設けた例を示す斜視図
【図７】第６実施例を示すもので、（ａ）はストラップをコイル紐状のストラップ１ｂに置き替えた例、（ｂ）はネックストラップイヤホンに置き替えた例を示す斜視図
【考案を実施するための形態】
【００１０】
本考案は、タッチペン用の軸体を数段において伸縮する伸縮軸にして、使用するときは画面にタッチしやすい長さに伸張し、不使用時にはキャップ内に収まるように収縮して携帯しやすくし、その伸縮軸の一端にタッチ用の導電性ゴム体または押し体を取付け、さらに他端に筆記用のボールペンあるいは一端に取付けた導電性ゴム体，押し体とは異なるいずれかを取付けるようにして、伸縮するタッチペンを構成する。
【実施例１】
【００１１】
図１乃至図２は本考案の第１実施例であって、ストラップ１付のキャップ２に３段伸縮形の伸縮軸３を接続し、伸縮軸３の先端に、微弱電流を感知してタッチ点を判定する静電式（静電容量式）画面タッチ用の導電性ゴム体４を取付ける。
【００１２】
使用するときは伸縮軸３を２段または３段にて伸張して持ちやすくして、先端の導電性ゴム体４にてタブレット端末，スマートフォンを含むモバイル機器５の画面５ａをタッチ操作するのである。持ちやすい長さにすることで、図２に示すようにタッチ操作のうち特に文字書き入力する操作において使いやすさが格段に良好となる。
【００１３】
使用を終えたとき、しまうとき、また携帯持ち運びするときなどは伸縮軸３を収縮してキャップ２内に収めて短小にするのでである。
【実施例２】
【００１４】
図３は本考案の第２実施例であって、伸縮軸３をキャップ２から離して、離した側にボールペン６を取付けたのである。この実施例では先端側を細く、ボールペン６側が太くなるように伸縮軸３を構成しており、キャップ２内には伸縮軸３が伸張した後にキャップ２が離脱するようにした公知の弾性ストッパー機構を設けている。その他の構成と作用は第１実施例と同じである。
【実施例３】
【００１５】
図４は本考案の第３実施例であって、第２実施例のボールペンにかえて、加圧を感知してタッチ点を判定するいわゆる感圧式画面タッチ用の先細形をした押し体７を設ける。かくすることによりモバイル機器５画面のタッチ方式が静電式または感圧式のいずれのタイプであっても、または異なるタッチ式の複数のモバイル機器を１本のタッチペンにてタッチ操作することができることとなる。その他の構成と作用は第２実施例と同じである。
なお、第１実施例および第２実施例において、伸縮軸３の先端に感圧式画面タッチ用の押し体７を取付けて、ボールペン６または導電性ゴム体４と組み合わせるようにすることもある。
【実施例４】
【００１６】
図５は本考案の第４実施例であって、（ａ）はキャップ２とストラップ１を凹凸の嵌合形により着脱するように形成した例を示し、伸縮軸のみを自由にしてタッチ操作することができる。その他の構成と作用は第１実施例と同じである。
【実施例５】
【００１７】
図６は本考案の第５実施例で、ストラップ１の他端にモバイル機器５のイヤホンジャック５ｂに着脱自在に挿嵌するイヤホンプラグ型の掛脱具８を取付けたものである。その他の構成と作用は第４実施例と同じである。
【実施例６】
【００１８】
図７は本考案の第６実施例であって、ストラップ１を紐体１ａのほか、伸縮するコイル紐状１ｂとし、またはネックストラップイヤホン１ｃにて置き替える例を示している。
【００１９】
以上により、本考案の伸縮するタッチペンはモバイル機器自身，ベルト，バッグなどの携帯品に取付けたまま、使用者が首廻りに掛け吊るしたままでタッチ使用することができ、またタッチペンは伸縮軸をキャップまたはストラップから離して簡略軽量化して使用することもでき、筆記具として使用することもできる。
いずれにしてもタッチペンは伸縮軸を３段等まで伸縮することができるので、持ちやすい長さに調整して、タッチ操作を容易快適とする。
【産業上の利用可能性】
【００２０】
本考案は、タッチペンを複数段において伸縮してタッチ操作をしやすくすることで、タッチペンの利用を拡大することができる。
【符号の説明】
【００２１】
１はストラップ
１ａは紐体状のストラップ
１ｂはコイル紐状のストラップ
１ｃはネックイヤホン形のストラップ
２はキャップ
３は伸縮軸
４は静電式画面タッチ用の導電性ゴム体
５はモバイル機器
６はボールペン
７は感圧式画面タッチ用の押し体
８はイヤホンプラグ型の掛脱具
【図１】
0003177061.tif 000003
【図２】
0003177061.tif 000004
【図３】
0003177061.tif 000005
【図４】
0003177061.tif 000006
【図５】
0003177061.tif 000007
【図６】
0003177061.tif 000008
【図７】
0003177061.tif 000009